(57)【要約】【課題】  光源の取り外しの際の安全性向上を確保できる電源装置、ＬＥＤ照明灯及び照明器具を提供する。【解決手段】  メスコネクタ２８に放電ランプ３０のオスコネクタ３１又はＬＥＤ照明灯３２のオスコネクタ３３が接続されるメスコネクタ２８にインターロックスイッチ５１を組み込み、これら放電ランプ３０のオスコネクタ３１又はＬＥＤ照明灯３２のオスコネクタ３３がメスコネクタ２８より切り離されたときインターロックスイッチ５１をオフ動作して電源供給を遮断する。【選択図】図２
2011054551.tif 000002
【特許請求の範囲】
【請求項１】
電源より交流出力及び直流出力又はいずれか一方を発生する出力発生手段と；
前記出力生成手段より発生される出力により点灯される半導体発光素子よりなる光源を接続可能にする接続手段と；
前記接続手段に接続された前記光源が切り離されたとき前記出力発生手段への電源の供給を遮断可能にする出力遮断手段と；
を具備したことを特徴とする電源装置。
【請求項２】
電源より交流出力を発生する出力生成手段と；
前記出力生成手段より交流出力が与えられる入力側に対し出力側が絶縁された絶縁トランスと；
前記絶縁トランスの出力側より発生される出力により点灯される半導体発光素子よりなる光源を脱着可能に接続する接続手段と；
を具備したことを特徴とする電源装置。
【請求項３】
前記接続手段は、さらに放電ランプよりなる光源が接続可能であり；
前記接続手段に接続された光源が放電ランプか半導体発光素子かを判定する光源判定手段と；
前記光源判定手段の判定結果に基づいて前記出力生成手段より交流出力又は直流出力を発生させるように制御する制御手段と；
をさらに具備したことを特徴とする請求項１又は２記載の電源装置。
【請求項４】
光源のＬＥＤ素子と；
交流出力又は直流出力を発生する出力生成手段に、該出力生成手段より発生される出力により点灯される前記ＬＥＤ素子を接続可能にする接続手段と；
前記接続手段に接続された前記ＬＥＤ素子が切り離されたとき前記ＬＥＤ素子の点灯電路を遮断可能にする点灯電路遮断手段と；
を具備したことを特徴とするＬＥＤ照明灯。
【請求項５】
電源からの電力により交流出力を発生する出力生成手段を前記電源に接続可能にする接続手段と；
前記出力生成手段より交流出力が与えられる入力側に対し出力側が絶縁された絶縁トランスと；
前記絶縁トランスの出力側より発生される出力により点灯される光源のＬＥＤ素子と；
を具備したことを特徴とするＬＥＤ照明灯。
【請求項６】
請求項１乃至３のいずれかに記載の電源装置と；前記電源装置を有する器具本体と；を具備したことを特徴とする照明器具。
【請求項７】
請求項４又は６に記載のＬＥＤ照明灯と；前記ＬＥＤ照明灯を有する器具本体と；を具備したことを特徴とする照明器具。
【発明の詳細な説明】
【技術分野】
【０００１】
本発明は、光源として発光ダイオード（ＬＥＤ素子）からなる半導体発光素子などを点灯可能にする電源装置及び照明器具に関するものである。
【背景技術】
【０００２】
従来、電源装置には、蛍光ランプなどの放電ランプを光源として点灯するものが知られている。かかる電源装置は、インバータ回路を用いたインバータ式のものがあり、インバータ回路を構成するスイッチング素子のスイッチング周期（動作周波数）を制御することにより放電ランプを点灯するようにしている。
【０００３】
一方、最近になって、光源としてＬＥＤ素子を用いたＬＥＤ照明灯が実用化されており、このようなＬＥＤ照明灯を放電ランプに置き換えてインバータ方式の電源装置により点灯可能にする照明装置も考えられている（特許文献１）。
【先行技術文献】
【特許文献】
【０００４】
【特許文献１】特開２００８−１０３３０４号公報
【発明の概要】
【発明が解決しようとする課題】
【０００５】
しかしながら、このように構成したものでは、ＬＥＤ照明灯が点灯している状態で、ＬＥＤ照明灯を器具から取り外すことがあると、ＬＥＤ照明灯が完全に取り外されるまでＬＥＤ素子により電路が形成され続けるため、この状態で、作業者が電源装置の出力端子などに触れることがあると、安全性の面で問題を生じることがあった。
【０００６】
本発明は、上記事情に鑑みてなされたもので、光源の取り外しの際の安全性を確保できる電源装置、ＬＥＤ照明灯及び照明器具を提供することを目的とする。
【課題を解決するための手段】
【０００７】
上記の課題を解決するために、
請求項１記載の発明は、電源より交流出力及び直流出力又はいずれか一方を発生する出力発生手段と；前記出力生成手段より発生される出力により点灯される半導体発光素子よりなる光源を接続可能にする接続手段と；前記接続手段に接続された前記光源が切り離されたとき前記出力発生手段への電源の供給を遮断可能にする出力遮断手段と；を具備したことを特徴としている。
【０００８】
ここで、出力発生手段が交流出力の場合、光源側に整流平滑手段などの直流変換手段を備え、これにより半導体発光素子よりなる光源を点灯することを含むものとする。また、出力遮断手段は、機械的又は電気的なスイッチ構造でもよいし、光源の取り外しを検出することで出力生成手段の出力を停止するものでもよい。この場合、光源の取り外しを検出するものにおいては、取り外しを検出してから出力停止までの時間が０．１秒以内であることが望ましい。つまり、この時間以内であれば、作業者が電極などに触れる前に確実に出力を停止できるからである。
【０００９】
請求項２記載の発明は、電源より交流出力を発生する出力生成手段と；前記出力生成手段より交流出力が与えられる入力側に対し出力側が絶縁された絶縁トランスと；前記絶縁トランスの出力側より発生される出力により点灯される半導体発光素子よりなる光源を脱着可能に接続する接続手段と；を具備したことを特徴としている。
【００１０】
請求項３記載の発明は、請求項１又は２記載の発明において、前記接続手段は、さらに放電ランプよりなる光源が接続可能であり、前記接続手段に接続された光源が放電ランプか半導体発光素子かを判定する光源判定手段と；前記光源判定手段の判定結果に基づいて前記出力生成手段より交流出力又は直流出力を発生させるように制御する制御手段と；をさらに具備したことを特徴としている。
【００１１】
請求項４記載の発明は、光源のＬＥＤ素子と；交流出力又は直流出力を発生する出力生成手段に、該出力生成手段より発生される出力により点灯される前記ＬＥＤ素子を接続可能にする接続手段と；前記接続手段に接続された前記ＬＥＤ素子が切り離されたとき前記ＬＥＤ素子の点灯電路を遮断可能にする点灯電路遮断手段と；を具備したことを特徴としている。
【００１２】
ここで、交流出力を発生する出力生成手段は、インバータのような高周波を出力する高周波電源や商用電源であり、これらの電源を接続手段を介してＬＥＤ素子に接続するようにした高周波電源又は商用電源直結形のＬＥＤ照明灯も含んでいる。
【００１３】
請求項５記載の発明は、電源からの電力により交流出力を発生する出力生成手段を前記電源に接続可能にする接続手段と；前記出力生成手段より交流出力が与えられる入力側に対し出力側が絶縁された絶縁トランスと；前記絶縁トランスの出力側より発生される出力により点灯される光源のＬＥＤ素子と；を具備したことを特徴とするＬＥＤ照明灯である。
【００１４】
請求項６記載の発明は、請求項１乃至３のいずれかに記載の電源装置と；前記電源装置を有する器具本体と；を具備したことを特徴とする照明器具である。
【００１５】
請求項７記載の発明は、請求項４又は６に記載のＬＥＤ照明灯と；前記ＬＥＤ照明灯を有する器具本体と；を具備したことを特徴とする照明器具である。
【発明の効果】
【００１６】
請求項１記載の発明によれば、半導体発光素子よりなる光源を接続手段から切り離すと、強制的に電源供給を遮断して出力発生手段の出力を停止することができるので、光源の取り外しの際の安全性を確保することができる。
【００１７】
請求項２記載の発明によれば、出力生成手段に対して絶縁トランスを介して半導体発光素子よりなる光源が接続されるので、光源の取り外しの際の安全性を確保することができる。
【００１８】
請求項３記載の発明によれば、接続手段に光源として放電ランプ又は半導体発光素子が接続されると、出力発生手段より光源に応じた交流出力又は直流出力を得られるとともに、これら光源が接続手段より切り離されると出力遮断手段により出力発生手段の出力を停止できる。
【００１９】
請求項４記載の発明によれば、光源のＬＥＤ素子を接続手段から切り離すと、ＬＥＤ素子の点灯電路を強制的に遮断することができるので、ＬＥＤ照明灯の取り外しの際の安全性を確保することができる。
【００２０】
請求項５記載の発明によれば、出力生成手段に対して絶縁トランスを介して光源のＬＥＤ素子が接続されるので、ＬＥＤ照明灯の取り外しの際の安全性を確保することができる。
【図面の簡単な説明】
【００２１】
【図１】本発明の第１の実施の形態にかかる電源装置が適用される照明器具を示す斜視図。
【図２】第１の実施の形態にかかる電源装置の概略構成を示す図。
【図３】第１の実施の形態に用いられる調光制御部の概略構成を示す図。
【図４】第１の実施の形態の動作を説明するためのフローチャート。
【図５】本発明の第２の実施の形態にかかる電源装置の概略構成を示す図。
【図６】第２の実施の形態のＨＩＤランプとＬＥＤ照明灯の始動時の電圧及び電流の波形を示す図。
【図７】本発明の第３の実施の形態にかかる電源装置の概略構成を示す図。
【図８】本発明の第４の実施の形態にかかるＬＥＤ照明灯の概略構成を示す図。
【図９】本発明の第５の実施の形態にかかるＬＥＤ照明灯の概略構成を示す図。
【図１０】本発明の第６の実施の形態にかかるＬＥＤ照明灯の概略構成を示す図。
【図１１】本発明の第７の実施の形態にかかるＬＥＤ照明灯の概略構成を示す図。
【発明を実施するための形態】
【００２２】
以下、本発明の実施の形態を図面に従い説明する。
【００２３】
（第１の実施の形態）
まず、本発明の電源装置が適用される照明器具について簡単に説明する。図１において、１は器具本体で、この器具本体１は、円板状をした基台１ａを有している。そして、この基台１ａ上に光源として直径の異なるリング状の放電ランプ２，３が同心状に配置され、これら放電ランプ２，３を覆うように乳白色のセード４が装着されている。ここでは、光源として放電ランプ２，３について述べているが、これら放電ランプ２，３に代えて、不図示の半導体発光素子であるＬＥＤ素子を光源としたＬＥＤ照明灯を基台１ａ上に配置することも可能にしている。器具本体１内部には、本発明の電源装置１００が配置されている。なお、図示しないが、さらに反射板、端子および配線なども設けられることは勿論である。
【００２４】
図２は、このように構成された照明器具の器具本体１内部に組み込まれる本発明の電源装置１００の概略構成を示している。
【００２５】
図２（ａ）において、１０は交流電源で、この交流電源１０は、不図示の商用電源からなっている。この交流電源１０には、全波整流回路１１の入力端子が接続されている。全波整流回路１１は、交流電源１０からの交流電力を全波整流した出力を発生する。全波整流回路１１の正負極の出力端子間には、リップル電流平滑用のコンデンサ１２が接続されている。
【００２６】
コンデンサ１２の両端には、電源手段として昇圧チョッパ回路１３が接続されている。この昇圧チョッパ回路１３は、全波整流回路１２の正負極の出力端子間に昇圧用トランスを構成するインダクタ１４及びスイッチング素子としての電界効果トランジスタ１５の直列回路が接続され、電界効果トランジスタ１５に並列に図示極性のフライホイールダイオード１６を介して平滑用コンデンサである電解コンデンサ１７が接続されている。また、電解コンデンサ１７の両端には、電圧検出手段として抵抗１８，１９の直列回路が接続されている。抵抗１８，１９は、電解コンデンサ１７の出力より分圧電圧を発生し、このうち抵抗１９の端子電圧を制御部２０に出力する。電界効果トランジスタ１５は、制御部２０での、抵抗１９の端子電圧と予め用意される参照電圧との比較結果に基づいてオンオフ動作される。インダクタ１４は、電界効果トランジスタ１５のオンオフ動作に伴う電磁的エネルギーの蓄積及び放出によりフライホイールダイオード１６を介して電解コンデンサ１７に昇圧された出力を発生させる。制御部２０については、後述する。
【００２７】
昇圧チョッパ回路１３には、出力発生手段としての出力発生回路２１が接続されている。この出力発生回路２１は、前記電解コンデンサ１７に並列に、スイッチング素子として電界効果トランジスタ２２１、２２２の直列回路が接続されている。また、電界効果トランジスタ２２１、２２２は、それぞれのゲートが制御部２０に接続され、制御部２０により制御される。この場合、出力発生回路２１は、制御部２０からの指示により２通りの動作を行うもので、第１の動作は、直列接続された電界効果トランジスタ２２１、２２２により、交流出力手段としての所謂、ハーフブリッジ型のインバータ回路を構成し、これら電界効果トランジスタ２２１、２２２の交互のオンオフにより高周波の交流出力を発生する。また、第２の動作は、電界効果トランジスタ２２１、２２２のうち、一方の電界効果トランジスタ２２２をオフ（この場合、電界効果トランジスタ２２２は、ボディダイオードにより還流ダイオードとして動作される。）にし、他方の電界効果トランジスタ２２１により降圧チョッパを構成し、この電界効果トランジスタ２２１のオンオフによりチョッパ出力を発生する。この場合、電界効果トランジスタ２２２を用いて同期することにより直流出力を発生させる同期整流方式の降圧チョッパを構成するようにしてもよい。
【００２８】
また、出力発生回路２１は、電界効果トランジスタ２２２に並列にバラストチョークとしてのインダクタ２３、コンデンサ２４及び直流カット用のインピーダンス素子としてのコンデンサ２５の直列回路が接続されている。コンデンサ２５には、並列にスイッチ素子２６が接続されている。このスイッチ素子２６は、制御部２０の指示によりオンオフされ、直流カット用のコンデンサ２５の開放又は短絡を行う。
【００２９】
ここで、出力発生回路２１がハーフブリッジ型のインバータとして動作する場合は、電界効果トランジスタ２２１、２２２の交互のオンオフにより発生する高周波の交流出力に対してインダクタ２３及びコンデンサ２４は共振回路として動作される。また、出力発生回路２１が降圧チョッパとして動作する場合は、電界効果トランジスタ２２１のオンオフにともなうインダクタ２３での電磁的エネルギーの蓄積及び放出によりコンデンサ２４両端に降圧された直流出力を発生する。
【００３０】
インダクタ２３とコンデンサ２４の接続点には、インダクタ２３の第１の補助巻線２３１、コンデンサ２７を介して接続手段としてのメスコネクタ２８の接続端子２８ａが接続され、また、インダクタ２３とコンデンサ２４の接続点には、メスコネクタ２８の接続端子２８ｂが接続されている。コンデンサ２４、２５の接続点には、インダクタ２３の第２の補助巻線２３２、コンデンサ２９を介してメスコネクタ２８の接続端子２８ｃが接続され、また、コンデンサ２４、２５の接続点には、メスコネクタ２８の接続端子２８ｄが接続されている。第１の補助巻線２３１及び第２の補助巻線２３２は、後述する蛍光ランプなどの放電ランプ３０のフィラメント３０１、３０２の予熱を行う。
【００３１】
メスコネクタ２８には、他の接続手段として放電ランプ３０のオスコネクタ３１又はＬＥＤ素子を有するＬＥＤ照明灯３２（図２（ｂ）参照）のオスコネクタ３３が接続される。図示例では、放電ランプ３０（図１に示す放電ランプ２，３に相当）が接続されている。
【００３２】
メスコネクタ２８には、出力遮断手段としてインターロックスイッチ５１が組み込まれている。このインターロックスイッチ５１は、メスコネクタ２８に放電ランプ３０のオスコネクタ３１（又はＬＥＤ照明灯３２のオスコネクタ３３）が接続されたときオン動作し、メスコネクタ２８より放電ランプ３０のオスコネクタ３１（又はＬＥＤ照明灯３２のオスコネクタ３３）が切り離されるとオフ動作する。この場合、インターロックスイッチ５１は、メスコネクタ２８に放電ランプ３０のオスコネクタ３１（又はＬＥＤ照明灯３２のオスコネクタ３３）が確実に接続された状態でのみオン動作し、放電ランプ３０のオスコネクタ３１（又はＬＥＤ照明灯３２のオスコネクタ３３）の切り離し操作により確実なコネクタ接続状態が確保されない状態で直ちにオフ動作する。
【００３３】
インターロックスイッチ５１は、交流電源１０と全波整流回路１１の間に直列に接続されている。そして、メスコネクタ２８に放電ランプ３０のオスコネクタ３１（又はＬＥＤ照明灯３２のオスコネクタ３３）が接続されたオン動作で交流電源１０を全波整流回路１１に接続して電源を供給可能とし、メスコネクタ２８より放電ランプ３０のオスコネクタ３１（又はＬＥＤ照明灯３２のオスコネクタ３３）が切り離されたオフ動作で交流電源１０を全波整流回路１１より切り離して電源供給を遮断し、出力発生回路２１の出力を停止させる。
【００３４】
放電ランプ３０は、一対のフィラメント３０１、３０２を有し、このうち一方のフィラメント３０１には、メスコネクタ２８の接続端子２８ａ、２８ｂに対応するオスコネクタ３１の接続端子３１ａ、３１ｂが接続され、他方のフィラメント３０２には、メスコネクタ２８の接続端子２８ｃ、２８ｄに対応するオスコネクタ３１の接続端子３１ｃ、３１ｄが接続されている。そして、放電ランプ３０は、オスコネクタ３１をメスコネクタ２８に接続した状態で、それぞれの接続端子３１a〜３１ｄがメスコネクタ２８の接続端子２８ａ〜２８ｄに各別に接続される。
【００３５】
一方、ＬＥＤ照明灯３２は、図２（ｂ）に示すようにメスコネクタ２８の接続端子２８ａ、２８ｂに対応するオスコネクタ３３の接続端子３３ａ、３３ｂ、メスコネクタ２８の接続端子２８ｃ、２８ｄに対応するオスコネクタ３３の接続端子３１ｃ、３１ｄをそれぞれ有している。そして、接続端子３３ａ、３３ｂの間には、放電ランプ３０のフィラメント抵抗に相当する抵抗素子３４が接続され、接続端子３１ｃ、３１ｄの間にも放電ランプ３０のフィラメント抵抗に相当する抵抗素子３５が接続されている。また、接続端子３３ｂと３３ｄの間には、ダイオードブリッジからなる全波整流回路３６の入力端子が接続されている。そして、全波整流回路３６の正負極の出力端子間には、半導体発光素子として１個又は複数個直列接続されたＬＥＤ素子３７が接続されている。ここで、抵抗素子３４（３５）は、上述の放電ランプ３０のフィラメント３０１（３０２）の抵抗値（フィラメント抵抗）に対応するもので、ＬＥＤ素子３７の個数に応じた抵抗値が設定されている。例えば、ＬＥＤ素子３７が１個の場合は、４．７ｋΩ、２個の場合は、１０ｋΩ、３個の場合は、４７ｋΩ、４個の場合は、１００ｋΩとしている。
【００３６】
そして、このようなＬＥＤ照明灯３２もオスコネクタ３３をメスコネクタ２８に接続した状態で、それぞれの接続端子３１a〜３１ｄがメスコネクタ２８の接続端子２８ａ〜２８ｄに各別に接続される。
【００３７】
なお、ＬＥＤ照明灯３２を照明器具に取り付ける際に、メスコネクタ２８に接続されるオスコネクタ３３の接続方向が予め一方向に規制される構成ならば、全波整流回路３６を省略することができる。
【００３８】
メスコネクタ２８の接続端子２８ｄと直流カット用のコンデンサ２５の間には、直列に負荷電流検出手段として電流検出回路３８が接続されている。この電流検出回路３８は、抵抗素子３８１と図示極性のダイオード３８３の直列回路と図示極性のダイオード３８２の並列回路より構成され、放電ランプ３０（又はＬＥＤ照明灯３２）に流れる一方向の電流を負荷電流として検出する。
【００３９】
メスコネクタ２８の接続端子２８ｃには、基準電圧Ｖｃｃ（例えば＋１５Ｖ）が一方端に印加された抵抗素子３９の他方端が接続されている。これら抵抗素子３９と接続端子２８ｃの接続点Ｐには、光源が放電ランプ３０かＬＥＤ照明灯３２かを判定するのに用いられる放電ランプ３０のフィラメント３０２又はＬＥＤ照明灯３２の抵抗素子３３（抵抗素子３４）のそれぞれの抵抗値（フィラメント抵抗）に応じた出力電圧ＶRが発生する。この出力電圧ＶRは、制御部２０に入力される。
【００４０】
制御部２０は、電源装置全体を制御するもので、昇圧チョッパ回路制御部２０１、光源判定部２０２、出力発生回路制御部２０３、調光制御部２０４を有している。これら昇圧チョッパ回路制御部２０１、光源判定部２０２、出力発生回路制御部２０３、調光制御部２０４は、ソフトウェアから構成されている。勿論、ハードウェアにより構成することもできる。昇圧チョッパ回路制御部２０１は、予め不図示の参照電圧が記憶されていて、この参照電圧と抵抗１９の端子電圧との比較結果に基づいて電界効果トランジスタ１５のオンオフ動作を制御し、電界効果トランジスタ１５のオンオフ動作に伴うインダクタ１４での電磁的エネルギーの蓄積及び放出により電解コンデンサ１７両端に昇圧された出力電圧を発生させる。
【００４１】
光源判定部２０２は、抵抗素子３９と接続端子２８ｃの接続点Ｐに発生する出力電圧ＶRにより光源が放電ランプ３０かＬＥＤ照明灯３２かを判定する。具体的には、放電ランプ３０の場合、フィラメント３０２の抵抗値は１０Ω程度で、接続点Ｐの出力電圧ＶRは１Ｖ以下である。これに対してＬＥＤ照明灯３２の場合は、例えば、ＬＥＤ素子３７が１個で抵抗素子３４（３５）が抵抗値４．７ｋΩの場合、出力電圧ＶRは１．４Ｖ、ＬＥＤ素子３７が２個で抵抗素子３４（３５）が抵抗値１０ｋΩの場合、出力電圧ＶRは２．６Ｖ、ＬＥＤ素子３７が３個で抵抗素子３４（３５）が抵抗値４７ｋΩの場合、出力電圧ＶRは７．５Ｖ、ＬＥＤ素子３７が４個で抵抗素子３４（３５）が抵抗値１００ｋΩの場合、出力電圧ＶRは１０．２Ｖとなる。これにより、光源判定部２０２では、予め大きさの異なる閾値値Ｖ１、Ｖ２（ただしＶ１＜Ｖ２）を設定し、ＶR≦Ｖ１ならば、放電ランプ３０と判定し、Ｖ１＜ＶR≦Ｖ２ならば、ＬＥＤ照明灯３２と判定し、さらにＶ２＜ＶRならば、光源が接続されていない無負荷状態と判定する。
【００４２】
出力発生回路制御部２０３は、電源投入直後、まず、出力発生回路２１をハーフブリッジ型のインバータとして動作させる。また、光源判定部２０２の判定結果により、光源が放電ランプ３０と判断されると、出力発生回路２１のインバータ動作を継続させ、光源がＬＥＤ照明灯３２と判断されると出力発生回路２１を降圧チョッパに切換えて動作させる。出力発生回路制御部２０３は、出力発生回路２１をインバータ動作させる場合、電界効果トランジスタ２２１、２２２をハーフブリッジ型のインバータ回路に構成し、数十ｋＨｚ〜２００ｋＨｚの範囲の動作周波数で電界効果トランジスタ２２１、２２２を交互にオンオフさせて高周波の交流出力を発生させる。また、降圧チョッパとして動作させる場合は、電界効果トランジスタ２２１、２２２のうち、一方の電界効果トランジスタ２２２をオフにし、他方の電界効果トランジスタ２２１を調光制御部２０４から出力される制御信号に基づいてオンオフさせてチョッパ出力を発生させる。また、出力発生回路制御部２０３は、光源判定部２０２で光源がＬＥＤ照明灯３２と判断すると、スイッチ素子２６をオン動作して直流カット用のコンデンサ２５を短絡する。
【００４３】
調光制御部２０４は、図３に示すように基準信号生成部２０４１及び比較器２０４２を有している。基準信号生成部２０４１は、外部の調光信号発生部４０が接続され、この調光信号発生部４０の調光信号により放電ランプ３０（又はＬＥＤ照明灯３２）の全光点灯及び調光点灯のための基準信号を生成する。比較器２０４２は、一方端子に基準信号生成部２０４１で生成される基準信号が入力され、他方端子に電流検出回路３８より検出される負荷電流が入力され、これらの比較結果を出力発生回路制御部２０３に対する制御信号として出力する。これにより、基準信号生成部２０４１で生成される基準信号に対して放電ランプ３０（又はＬＥＤ照明灯３２）に流れる電流は、基準信号に近づくように制御され、定電流制御が行われる。
【００４４】
次に、このように構成した実施の形態の作用を説明する。
【００４５】
まず、メスコネクタ２８に放電ランプ３０のオスコネクタ３１を接続した場合を説明する。この場合、メスコネクタ２８に放電ランプ３０のオスコネクタ３１を接続すると、メスコネクタ２８のインターロックスイッチ５１がオン動作し、交流電源１０が全波整流回路１１に供給可能となる。
【００４６】
この状態から、ステップ４０１で不図示の電源スイッチの電源オンにより、ステップ４０２に進み、昇圧チョッパ回路１３による昇圧チョッパ動作が実行される。この場合、交流電源１０の交流電力が全波整流回路１１で全波整流され、昇圧チョッパ回路１３に供給されると、制御部２０の昇圧チョッパ回路制御部２０１では、予め用意された参照電圧と電圧検出手段の抵抗１９の端子電圧との比較結果に基づいて電界効果トランジスタ１５をオンオフ動作させる。これにより、電界効果トランジスタ１５のオンオフ動作に伴うインダクタ１４の電磁的エネルギーの蓄積及び放出によりフライホイールダイオード１６を介して電解コンデンサ１７に昇圧された出力電圧が発生する。
【００４７】
次に、ステップ４０３に進み、最初、インバータ動作が実行される。このステップ４０３では、昇圧チョッパ回路１３の出力電圧が出力発生回路２１に入力される。この場合、出力発生回路２１では、制御部２０の出力発生回路制御部２０３により電界効果トランジスタ２２１、２２２がハーフブリッジ型のインバータ回路に構成され、同時に、出力発生回路制御部２０３より入力される駆動信号により電界効果トランジスタ２２１，２２２をオンオフし、電界効果トランジスタ２２２のドレインーソース間に高周波交流を発生する。
【００４８】
この状態で、ステップ４０４において、光源を判定するためフィラメント抵抗に対応する出力電圧ＶRを検出する。そして、ステップ４０５に進んで、出力電圧ＶRより光源が放電ランプ３０かＬＥＤ照明灯３２かを判定する。この場合、抵抗素子３９と接続端子２８ｃの接続点Ｐには、放電ランプ３０のフィラメント３０２の抵抗値又はＬＥＤ照明灯３２の抵抗素子３４（抵抗素子３５）の抵抗値（フィラメント抵抗）に応じた出力電圧ＶRが発生し、この出力電圧ＶRが制御部２０の光源判定部２０２に入力される。
【００４９】
光源判定部２０２では、予め設定された閾値Ｖ１、Ｖ２を用いて光源が放電ランプ３０かＬＥＤ照明灯３２かを判定する。いま、光源として放電ランプ３０が接続されているものとすると、ステップ４０５でＶｐ≦Ｖ１となって、放電ランプ３０と判定される。
【００５０】
この場合、ステップ４０７でスイッチ素子２６をオン動作して直流カット用のコンデンサ２５を開放する。この動作は、既にステップ４０３のインバータ動作の際に行われており、ステップ４０７では、同様な動作を繰り返すことになる。
【００５１】
次に、ステップ４０８に進み、ステップ４０３で述べたインバータ動作を継続させる。この場合も、出力発生回路２１は、制御部２０の出力発生回路制御部２０３により電界効果トランジスタ２２１、２２２によるハーフブリッジ型のインバータ回路が維持され、出力発生回路制御部２０３より入力される駆動信号により電界効果トランジスタ２２１，２２２をオンオフして高周波交流出力を発生する。
【００５２】
出力発生回路２１より出力される高周波交流出力は、インダクタ２３及び共振用コンデンサ２４に与えられ、これらインダクタ２３及びコンデンサ２４を共振回路として動作させる。この状態で、放電ランプ３０のフィラメント３０１、３０２に第１の補助巻線２３１及び第２の補助巻線２３２より予熱電流が流れると、放電ランプ３０のフィラメント３０１と３０２の間に所定の始動電圧が印加され、放電ランプ３０が点灯される。
【００５３】
次に、ステップ４０９で、電流検出回路３８により放電ランプ３０に流れる電流を負荷電流として検出する。そして、ステップ４１０でＮｏ（電源オンのまま）ならば、ステップ４１１で定電流制御が実行される。この場合、出力発生回路制御部２０３には、調光信号発生部４０の調光信号に基づいて調光制御部２０４の基準信号生成部２０４１で生成される基準信号と、電流検出回路２６より検出されるランプ電流との比較結果に応じた制御信号が入力される。これにより、出力発生回路制御部２０３は、調光制御部２０４からの制御信号に応じた動作周波数により出力発生回路２１の電界効果トランジスタ２２１，２２２をオンオフして高周波交流を発生させ、放電ランプ３０を点灯させる。この場合、調光制御部２０４より出力発生回路制御部２０３に入力される制御信号は、基準信号とランプ電流との比較結果に応じたもので、フィードバック制御が行われているので、放電ランプ３０のランプ電流は、常に基準信号に近づくように定電流制御が行われる（ステップ４１１）。
【００５４】
この状態で、調光信号発生部４０の調光信号により基準信号生成部２０４１で生成される基準信号を可変すると、調光制御部２０４より出力される制御信号が変化し、放電ランプ３０が全光から調光の範囲で点灯制御される。この場合、出力発生回路２１は、出力発生回路制御部２０３からの駆動信号のｄｕｔｙ比５０％の動作周波数で電界効果トランジスタ２２１，２２２をオンオフ動作しているが、この状態から、調光信号発生部４０の調光信号により基準信号が変化して調光制御部２０４より出力される制御信号が変化されると、この変化に応じて出力発生回路制御部２０３からの駆動信号のｄｕｔｙ比５０％の動作周波数が変化される。これにより、放電ランプ３０に供給される交流出力が制御され、放電ランプ３０は、調光信号発生部４０の調光信号に応じて全光から調光の範囲で点灯状態が制御される。
【００５５】
また、放電ランプ３０が点灯している状態で、放電ランプ３０を器具本体１から取り外すために、メスコネクタ２８より放電ランプ３０のオスコネクタ３１を切り離すと、インターロックスイッチ５１がオフ動作し、交流電源１０より全波整流回路１１への電源供給が遮断され、出力発生回路２１の出力が停止される。したがって、この状態では、放電ランプ３０の取り外しとともに、強制的な電源遮断により、出力発生回路２１の出力が停止されるので、放電ランプ３０の取り外しの際の安全性を確保することができる。
【００５６】
なお、放電ランプ３０の点灯状態で、ステップ４１０で、電源オフによりＹｅｓと判断された場合は、出力発生回路２１の高周波交流が停止し、放電ランプ３０は消灯される。
【００５７】
次に、メスコネクタ２８にＬＥＤ照明灯３２のオスコネクタ３３を接続した場合を説明する。
【００５８】
この場合もメスコネクタ２８にＬＥＤ照明灯３２のオスコネクタ３３を接続すると、メスコネクタ２８のインターロックスイッチ５１がオン動作し、交流電源１０が全波整流回路１１に供給される。そして、光源としてＬＥＤ照明灯３２が接続された場合は、ステップ４０５でＶ１＜ＶR≦Ｖ２となって、ＬＥＤ照明灯３２と判定される。すると、ステップ４１３で、スイッチ素子２６がオフ動作して直流カット用のコンデンサ２５を短絡する。
【００５９】
次に、ステップ４１４に進み、ＬＥＤ照明灯３２を点灯するためのチョッパ動作に切換えられる。この場合、ステップ４１４では、昇圧チョッパ回路１３の出力電圧が出力発生回路２１に入力される。出力発生回路２１では、制御部２０の出力発生回路制御部２０３により、電界効果トランジスタ２２１、２２２のうち、一方の電界効果トランジスタ２２２をオフにし、他方の電界効果トランジスタ２２１を調光制御部２０４から出力される制御信号に基づいてオンオフさせる。これにより、電界効果トランジスタ２２１のオンオフ動作に伴うインダクタ２３の電磁的エネルギーの蓄積及び放出によりコンデンサ２４両端に降圧された出力電圧（直流出力）を発生し、この出力電圧によりＬＤＥ照明灯３２が点灯される。
【００６０】
次に、ステップ４０９で、電流検出回路３８によりＬＤＥ照明灯３２に流れる電流を負荷電流として検出する。そして、ステップ４１０でＮｏ（電源オンのまま）ならば、ステップ４１１で定電流制御が実行される。この場合も、出力発生回路制御部２０３には、調光信号発生部４０の調光信号に基づいて調光制御部２０４の基準信号生成部２０４１で生成される基準信号と、電流検出回路２６より検出されるランプ電流との比較結果に応じた制御信号が入力される。これにより、出力発生回路制御部２０３は、調光制御部２０４からの制御信号に応じて出力発生回路２１の電界効果トランジスタ２２１をオンオフして、この電界効果トランジスタ２２１のオンオフ動作に伴うインダクタ２３での電磁的エネルギーの蓄積及び放出によりコンデンサ２４両端に降圧された直流出力が発生し、ＬＥＤ照明灯３２が点灯される。
【００６１】
この場合も、調光制御部２０４より出力発生回路制御部２０３に入力される制御信号は、基準信号とランプ電流との比較結果に応じたもので、フィードバック制御が行われているので、ＬＥＤ照明灯３２のランプ電流は、常に基準信号に近づくように定電流制御が行われる（ステップ４１１）。
【００６２】
また、この状態でも、調光信号発生部４０の調光信号により基準信号生成部２０４１で生成される基準信号を可変すると、調光制御部２０４より出力される制御信号が変化され、ＬＥＤ照明灯３２が全光から調光の範囲で点灯制御される。この場合、出力発生回路２１は、出力発生回路制御部２０３から入力される所定のｄｕｔｙ比で電界効果トランジスタ２２１をオンオフ動作しているが、この状態から調光信号発生部４０の調光信号により基準信号が変化して調光制御部２０４より出力される制御信号が変化されると、この変化に応じて出力発生回路制御部２０３から入力されるｄｕｔｙ比が変化される。これにより、ＬＥＤ照明灯３２に供給される直流出力が制御され、ＬＥＤ照明灯３２は、調光信号発生部４０の調光信号に応じて全光から調光の範囲で点灯状態が制御される。
【００６３】
また、ＬＥＤ照明灯３２が点灯している状態で、ＬＥＤ照明灯３２を器具本体１から取り外すために、メスコネクタ２８よりＬＥＤ照明灯３２のオスコネクタ３３を切り離すと、インターロックスイッチ５１がオフ動作し、交流電源１０より全波整流回路１１への電源供給が遮断され、出力発生回路２１の出力が停止される。したがって、この状態でも、ＬＥＤ照明灯３２の取り外しとともに、強制的な電源遮断により、出力発生回路２１の出力が停止されるので、ＬＥＤ照明灯３２の取り外しの際の安全性を確保することができる。
【００６４】
なお、ＬＥＤ照明灯３２の点灯状態で、ステップ４１０で、電源オフによりＹｅｓと判断されると、出力発生回路２１の直流出力が停止し、ＬＥＤ照明灯３２は消灯される。
【００６５】
一方、ステップ４０５でＶ２＜ＶRと判断された場合は、光源が接続されていない無負荷状態と判断され、ステップ４０６に進み、電源装置の出力を停止する。
【００６６】
したがって、このようにすれば、メスコネクタ２８にインターロックスイッチ５１を組み込み、メスコネクタ２８に放電ランプ３０のオスコネクタ３１（又はＬＥＤ照明灯３２のオスコネクタ３３）が接続されたときインターロックスイッチ５１をオン動作して電源供給を可能とし、メスコネクタ２８より放電ランプ３０のオスコネクタ３１（又はＬＥＤ照明灯３２のオスコネクタ３３）が切り離されたときインターロックスイッチ５１をオフ動作して電源を遮断するようにした。これにより、器具本体１から放電ランプ３０（又はＬＥＤ照明灯３２）を取り外す場合、強制的に電源供給が遮断され、出力発生回路２１の出力を停止することができるので、これら放電ランプ３０（又はＬＥＤ照明灯３２）の取り外しの際の安全性を確保することができる。
【００６７】
また、インターロックスイッチ５１は、メスコネクタ２８に放電ランプ３０のオスコネクタ３１（又はＬＥＤ照明灯３２のオスコネクタ３３）が確実に接続された状態でのみオン動作し、放電ランプ３０のオスコネクタ３１（又はＬＥＤ照明灯３２のオスコネクタ３３）の切り離し操作により確実なコネクタ接続状態が確保されない状態で直ちにオフ動作するようにもしているので、特に、ＬＥＤ照明灯３２の場合、ＬＥＤ照明灯３２を完全に取り外すまではＬＥＤ素子３７により電路が形成され続けることがあっても、この時点で電源を遮断できるので、電源装置の出力端子に触れることがあっても何ら問題が無くなり、さらなる安全性の向上を図ることができる。
【００６８】
また、この実施の形態では、光源判定部２０２により光源が放電ランプ３０かＬＥＤ照明灯３２かを放電ランプ３０のフィラメント３０２の抵抗値及びＬＥＤ照明灯３２に設けられた抵抗素子３４（３５）の抵抗値に応じて得られる出力電圧ＶRに基づいて判定し、この判定結果から光源が放電ランプ３０と判定されると、出力発生回路２１の電界効果トランジスタ２２１、２２２をハーフブリッジ型のインバータ回路に構成し、これら電界効果トランジスタ２２１、２２２の交互のオンオフにより発生する高周波の交流出力により放電ランプ３０を点灯し、また、光源がＬＥＤ照明灯３２と判断されると、出力発生回路２１により、電界効果トランジスタ２２１、２２２のうち、一方の電界効果トランジスタ２２２をオフし、他方の電界効果トランジスタ２２１により降圧チョッパを構成し、この電界効果トランジスタ２２１のオンオフにより発生する直流出力によりＬＥＤ照明灯３２を点灯するようにしているので、放電ランプ３０に対して最適な高周波の交流出力を供給できるとともに、ＬＥＤ照明灯３２に対しても最適で安定した直流出力を供給できるようになるので、従来のＬＥＤ照明灯内部に組み込まれたダイオードブリッジ回路により交流電力を直流電力に変換してＬＥＤ素子を点灯させるものと比べ、ＬＥＤ素子にちらつきなどが発生することない安定した点灯動作を得ることができる。
【００６９】
なお、上述では、直流カット用のコンデンサ２５は、コンデンサ２４と電界効果トランジスタ２２２の間に直列に接続されるようにしたが、インダクタ２３と電界効果トランジスタ２２１の間に直列に接続するようにしてもよく、また、コンデンサ２４と電界効果トランジスタ２２２の間及びインダクタ２３と電界効果トランジスタ２２１の間にそれぞれ直列に接続するようにしてもよい。この場合も、これらコンデンサには、並列にスイッチ素子が接続され、光源がＬＥＤ照明灯３２と判定された場合に制御部２０の指示によるスイッチ素子のオン動作により短絡される。
【００７０】
（第２の実施の形態）
第１の実施の形態では、ハーフブリッジ型のインバータ回路を用いた例を述べたが、この第２の実施の形態では、フルブリッジ型のインバータ回路を用いている。
【００７１】
図５は、第２の実施の形態の概略構成を示すもので、図２と同一部分には同符号を付している。
【００７２】
この場合、図５（ｂ）に示すＬＥＤ照明灯３２は、図２（ｂ）と全く同様に構成されている。
【００７３】
また、図５（ａ）に示す出力発生回路２１は、電解コンデンサ１７に並列に、スイッチング素子としての電界効果トランジスタ２２１、２２２の直列回路と電界効果トランジスタ２２３、２２４の直列回路が並列に接続されている。また、電界効果トランジスタ２２１〜２２４は、それぞれのゲートが制御部２０に接続され、制御部２０により制御される。
【００７４】
出力発生回路２１は、制御部２０からの制御信号により２通りの動作を行うもので、第１の動作は、電界効果トランジスタ２２１〜２２４により、交流出力手段としての所謂、フルブリッジ型のインバータ回路を構成し、これらフルブリッジ構成の隣り合わない電界効果トランジスタ、ここでは、電界効果トランジスタ２２１と２２４、電界効果トランジスタ２２２と２２３を組にし、これら各組を交互にオンオフさせることで高周波の交流出力を発生する。また、第２の動作は、フルブリッジ構成の隣り合う電界効果トランジスタ、ここでは、電界効果トランジスタ２２１と２２２、電界効果トランジスタ２２３と２２４を組にして一方の組の電界効果トランジスタ２２３をオフ、電界効果トランジスタ２２４をオン、他方の組の電界効果トランジスタ２２１と２２２のうち一方の電界効果トランジスタ２２２をオフするとともに（この場合、電界効果トランジスタ２２２は、ボディダイオードにより還流ダイオードとして動作される。）、他方の電界効果トランジスタ素子２２１により降圧チョッパを構成し、この電界効果トランジスタ２２１のオンオフによりチョッパ出力を発生する。この場合も、電界効果トランジスタ２２２を用いて同期することにより直流出力を発生させる同期整流方式の降圧チョッパを構成するようにしてもよい。
【００７５】
出力発生回路２１は、電界効果トランジスタ２２１と２２２の接続点と電界効果トランジスタ２２３と２２４の接続点の間に、バラストチョークとしてのインダクタ２３、コンデンサ２４及び直流カット用のコンデンサ２５の直列回路が接続されている。コンデンサ２５には、並列にスイッチ素子２６が接続されている。このスイッチ素子２６は、制御部２０の指示によりオンオフされ、コンデンサ２５の開放、短絡を行う。
【００７６】
この場合も、出力発生回路２１がフルブリッジ構成のインバータとして動作する場合は、電界効果トランジスタ２２１と２２４の組と電界効果トランジスタ２２２と２２３の組の交互のオンオフにより発生する高周波の交流出力に対してインダクタ２３及びコンデンサ２４は共振回路として動作される。また、出力発生回路２１が降圧チョッパとして動作する場合は、電界効果トランジスタ２２１のオンオフにともなうインダクタ２３での電磁的エネルギーの蓄積及び放出によりコンデンサ２４両端に降圧された直流出力を発生する。
【００７７】
また、メスコネクタ２８には、メスコネクタ２８に放電ランプ３０のオスコネクタ３１（又はＬＥＤ照明灯３２のオスコネクタ３３）が接続されたときオン動作し、メスコネクタ２８より放電ランプ３０のオスコネクタ３１（又はＬＥＤ照明灯３２のオスコネクタ３３）が切り離されるとオフ動作するインターロックスイッチ６１が組み込まれている。このインターロックスイッチ６１は、交流電源１０と全波整流回路１１の間に直列に接続され、メスコネクタ２８に放電ランプ３０のオスコネクタ３１（又はＬＥＤ照明灯３２のオスコネクタ３３）が接続されたオン動作で交流電源１０を全波整流回路１１に接続させ、メスコネクタ２８より放電ランプ３０のオスコネクタ３１（又はＬＥＤ照明灯３２のオスコネクタ３３）が切り離されたオフ動作で交流電源１０を全波整流回路１１より切り離して電源供給を遮断し、出力発生回路２１の出力を停止させる。
【００７８】
その他は、図２（ｂ）と同様に構成されている。
【００７９】
出力発生回路制御部２０３は、電源投入直後、まず、出力発生回路２１をインバータ動作させ、光源判定部２０２の判定結果から、光源が放電ランプ３０と判断されると、出力発生回路２１のインバータ動作を継続させる。また、出力発生回路制御部２０３は、光源がＬＥＤ照明灯３２と判断されると出力発生回路２１を降圧チョッパとして動作させる。
【００８０】
この場合、出力発生回路制御部２０３により、出力発生回路２１をインバータ動作させる場合は、フルブリッジ構成の隣り合わないスイッチング素子、ここでは、電界効果トランジスタ２２１と２２４、電界効果トランジスタ２２２と２２３を組にし、これら各組を交互にオンオフさせることで高周波の交流出力を発生させる。また、出力発生回路制御部２０３により出力発生回路２１を降圧チョッパとして動作させる場合は、フルブリッジ構成の隣り合う電界効果トランジスタ、ここでは、電界効果トランジスタ２２１と２２２、電界効果トランジスタ２２３と２２４を組にして一方の組の電界効果トランジスタ２２３をオフ、電界効果トランジスタ２２４をオン、他方の組の電界効果トランジスタ２２１と２２２の一方の電界効果トランジスタ２２２をオフするとともに他方の電界効果トランジスタ素子２２１のオンオフによりチョッパ出力を発生させる。
【００８１】
その他の動作は、図２と同様である。
【００８２】
したがって、このようにしても、第１の実施の形態と同様な効果を得ることができる。つまり、かかる第２の実施の形態によれば、放電ランプ３０が点灯している状態で、放電ランプ３０を器具本体１から取り外すために、メスコネクタ２８より放電ランプ３０のオスコネクタ３１を切り離すと、インターロックスイッチ６１がオフ動作し、交流電源１０より全波整流回路１１への電源供給が遮断される。したがって、この状態では、放電ランプ３０の取り外しとともに、強制的に電源が遮断されるので、放電ランプ３０の取り外しの際の安全性を確保することができる。同様にして、ＬＥＤ照明灯３２が点灯している状態で、ＬＥＤ照明灯３２を器具本体１から取り外すために、メスコネクタ２８よりＬＥＤ照明灯３２のオスコネクタ３３を切り離すと、インターロックスイッチ６１がオフ動作し、交流電源１０より全波整流回路１１への電源供給が遮断され、出力発生回路２１の出力が停止されるので、ＬＥＤ照明灯３２の取り外しの際の安全性を確保することができる。
【００８３】
このように、かかる第２の実施の形態では、メスコネクタ２８にインターロックスイッチ６１を組み込み、メスコネクタ２８に放電ランプ３０のオスコネクタ３１（又はＬＥＤ照明灯３２のオスコネクタ３３）が接続されたときインターロックスイッチ６１をオン動作して電源を接続可能とし、メスコネクタ２８より放電ランプ３０のオスコネクタ３１（又はＬＥＤ照明灯３２のオスコネクタ３３）が切り離されたときインターロックスイッチ６１をオフ動作して電源を遮断するようにしたので、器具本体１から放電ランプ３０（又はＬＥＤ照明灯３２）を取り外しする際の安全性を確保することができる。
【００８４】
なお、図５（ａ）に示すように出力発生回路２１の電界効果トランジスタ２２１、２２２に直列に抵抗素子４１１を有する電力検出回路４１を接続し、抵抗素子４１１に発生する電圧を放電ランプ３０（又はＬＥＤ照明灯３２）の負荷電力として検出するようにすれば、例えば、光源がＬＥＤ照明灯３２の場合は、電流検出回路３８より検出される負荷電流と基準信号生成部２０４１で生成される基準信号の比較結果に基づいてＬＥＤ照明灯３２を定電流制御し、一方、光源が放電ランプ３０の場合は、電力検出回路４１より検出される負荷電力と基準信号生成部２０４１で生成される基準信号の比較結果に基づいて放電ランプ３０を定電力制御するようにもできる。
【００８５】
（変形例）
第２の実施の形態では、一般的な放電ランプ３０について述べたが、高圧放電灯(ＨＩＤランプ)にも適用できる。この場合、制御部２０の光源判定部２０２では、電流検出回路３８で検出されるＨＩＤランプとＬＥＤ照明灯の始動時の電流の状態から、光源がＨＩＤランプかＬＥＤ照明灯かを判定する。つまり、ＨＩＤランプの始動時のランプ電圧ＶL1は、出力発生回路２１のインバータ動作により図６（ａ）に示すように一定の大きさとなり、所定時間後、イグナイタの動作により発生される高圧のパルス電圧Ｖｐが印加され、この高圧のパルス電圧Ｖｐの印加によるＨＩＤランプの放電開始とともに、図６（ｂ）に示すランプ電流ＩL1が流れ始める。これに対してＬＥＤ照明灯３２は、始動とともに、図６（ｃ）に示すように電流Ｉｆが流れ始める。このことから、光源判定部２０２では、始動直後から流れ始める電流Ｉｆを電流検出回路３８の出力から検知することで光源がＬＥＤ照明灯であると判定し、また、始動から所定時間遅れて（ＨＩＤランプの放電開始後）流れ始める図６（ｂ）に示すランプ電流ＩL1を電流検出回路３８の出力から検知することで光源がＨＩＤランプであると判定する。
【００８６】
このようにしても、第２の実施の形態と同様な効果を得ることができる。
【００８７】
（第３の実施の形態）
次に、本発明の第３の実施の形態を説明する。
【００８８】
図７は、第３の実施の形態の要部の概略構成を示すもので、図２と同一部分には同符号を付している。この場合、出力発生回路２１は、ハーフブリッジ接続された電界効果トランジスタ２２１、２２２のうち電界効果トランジスタ２２１に並列に直流カット用のコンデンサ５２、バラストチョークとしてのインダクタ５３、コンデンサ５４及び抵抗素子５５の直列回路が接続されている。インダクタ５３及びコンデンサ５４は、電界効果トランジスタ２２１、２２２の交互のオンオフにより発生する高周波の交流出力に対して共振回路として動作される。
【００８９】
コンデンサ５４には、絶縁トランス５６が接続されている。絶縁トランス５６は、コンデンサ５４に並列接続される１次巻線５６ａと、この１次巻線５６ａに対して絶縁された２次巻線５６bを有している。そして、この２次巻線５６bには、接続手段としてのメスコネクタ５７の接続端子５７ａ、５７ｂが接続されている。
【００９０】
メスコネクタ５７には、負荷としてのＬＥＤ照明灯５９が接続される。ＬＥＤ照明灯５９は、接続手段としてのオスコネクタ５８が一体に設けられている。このオスコネクタ５８は、メスコネクタ５７の接続端子５７ａ、５７ｂに対応する接続端子５８ａ、５８ｂを有し、これら接続端子５８ａ、５８ｂを、ＬＥＤ照明灯５９の不図示の器具への着脱によりメスコネクタ５７の接続端子５７ａ、５７ｂに接続又は切り離し可能にしている。
【００９１】
オスコネクタ５８の接続端子５８ａ、５８ｂの間には、交流／直流変換部５９１を介して半導体発光素子として１個又は複数個直列接続されたＬＥＤ素子６０が接続されている。ここで、交流／直流変換部５９１は、絶縁トランス５６の２次巻線５６b側から出力される交流出力を直流出力に変換するものである。
【００９２】
なお、図７では、要部以外の構成は省略している。
【００９３】
このような構成において、ＬＥＤ照明灯５９が不図示の器具に装着されると、ＬＥＤ照明灯５９のオスコネクタ５８が出力発生回路２１側のメスコネクタ５７に接続される。
【００９４】
この状態で、電界効果トランジスタ２２１、２２２が交互のオンオフされ、電界効果トランジスタ２２２のドレインソース間に高周波の交流出力が発生すると、この交流出力がインダクタ５３及びコンデンサ５４の共振回路を介して絶縁トランス５６の１次巻線５６ａに入力され、２次巻線５６ｂより交流出力が発生される。そして、この２次巻線５６ｂからの交流出力は、交流／直流変換部５９１を介して直流出力に変換されてＬＥＤ素子６０に供給され、ＬＥＤ素子６０は点灯される。
【００９５】
この状態から、ＬＤＥ照明灯５９を器具から取り外すと、ＬＥＤ照明灯５９のオスコネクタ５８が出力発生回路２１側のメスコネクタ５７より切り離される。この場合、出力発生回路２１より出力される交流出力を絶縁トランス５６を介してＬＥＤ照明灯５９に供給し、メスコネクタ５７側が電源側に対して絶縁した状態になっているので、ＬＥＤ照明灯５９側での電源の影響を皆無にできる。これにより、ＬＥＤ素子６０が点灯している状態で、ＬＥＤ照明灯５９を器具から取り外しオスコネクタ５８が出力発生回路２１側のメスコネクタ５７から切り離すような場合に、作業者がメスコネクタ５７の接続端子５７ａ、５７ｂに触れることがあっても、このときの安全性を確実に確保することができる。
【００９６】
なお、上述では、負荷としてＬＥＤ照明灯５９が接続される例を述べているが、第１の実施の形態で述べたようにＬＥＤ照明灯５９に代えて放電灯を接続することもできる。
【００９７】
（第４の実施の形態）
第１及び第２の実施の形態では、電源装置の出力生成回路２１に対してＬＥＤ照明灯３２をコネクタ３０により接続可能とし、ＬＥＤ照明灯３２が出力生成回路２１から切り離されたときインターロックスイッチ５１（６１）により出力発生回路２１への電源供給を遮断するようにしたが、この第４の実施の形態では、ＬＥＤ照明灯を電源装置から切り離したときにＬＥＤ照明灯においてＬＥＤ素子の点灯電路を遮断するようにした。
【００９８】
図８は、第４の実施の形態にかかるＬＥＤ照明灯の概略構成を示している。
【００９９】
図８において、６２はＬＥＤ照明灯で、このＬＥＤ照明灯６２は、接続手段としてオスコネクタ６３を一体に有している。このオスコネクタ６３は、ＬＥＤ照明灯６２の不図示の器具への着脱により出力発生手段としての電源装置８４の接続手段であるメスコネクタ６７に接続又は切り離し可能にしている。また、オスコネクタ６３は、接続端子６３ａ、６３ｂを有し、これら接続端子６３ａ、６３ｂの間には、半導体発光素子として１個又は複数個直列接続されたＬＥＤ素子６４とスイッチング手段としてのスイッチング素子６５の直列回路と、照明灯脱検出部６６がそれぞれ接続されている。照明灯脱検出部６６は、スイッチング素子６５とともに点灯電路遮断手段を構成するもので、電源装置８４の出力により接続端子６３ａ、６３ｂ間に発生する出力電圧を検出して動作する。つまり、照明灯脱検出部６６は、ＬＥＤ照明灯６２のオスコネクタ６３が電源装置８４のメスコネクタ６７に接続されている場合、オスコネクタ６３の接続端子６３ａ、６３ｂ間に発生する電圧を検出するとスイッチング素子６５をオン動作させてＬＥＤ素子６４の点灯電路を形成し、ＬＥＤ照明灯６２のオスコネクタ６３が電源装置８４のメスコネクタ６７より切り離され、オスコネクタ６３の接続端子６３ａ、６３ｂ間の電圧が無くなると、スイッチング素子６５をオフ動作させてＬＥＤ素子６４の点灯電路を遮断する。
【０１００】
一方、このようなＬＥＤ照明灯６２を点灯する電源装置８４では、不図示の商用電源からなる交流電源６８に、全波整流回路６９の入力端子が接続されている。全波整流回路６９は、交流電源６８からの交流電力を全波整流した出力を発生する。
【０１０１】
全波整流回路６９には、昇圧チョッパ回路７０が接続されている。この昇圧チョッパ回路７０は、全波整流回路６９の正負極の出力端子間に昇圧用トランスを構成する第１のインダクタ７１及びスイッチング素子としての電界効果トランジスタ７２の直列回路が接続され、電界効果トランジスタ７２に並列に図示極性のフライホイールダイオード７３を介して平滑用コンデンサである電解コンデンサ７４が接続されている。また、電解コンデンサ７４の両端には、電圧検出手段として抵抗７５，７６の直列回路が接続されている。抵抗７５，７６は、電解コンデンサ７４の出力より分圧電圧を発生し、このうち抵抗７６の端子電圧を制御部７７に出力する。電界効果トランジスタ７２は、制御部７７での抵抗７６の端子電圧と予め用意される参照電圧との比較結果に基づいてオンオフ動作される。第１のインダクタ７１は、電界効果トランジスタ７２のオンオフ動作に伴う電磁的エネルギーの蓄積及び放出によりフライホイールダイオード７３を介して電解コンデンサ７４に昇圧された出力を発生させる。制御部７７については、後述する。
【０１０２】
昇圧チョッパ回路７０には、出力発生手段としての降圧チョッパ回路７８が接続されている。この降圧チョッパ回路７８は、電解コンデンサ７４の両端にスイッチング素子としての電界効果トランジスタ７９、フライホイールダイオード８０及び負荷電流検出手段として抵抗素子８１の直列回路が接続されている。また、フライホイールダイオード８０の両端には、第２のインダクタ８２と平滑コンデンサ８３の直列回路が接続されている。抵抗素子８１は、ＬＤＥ照明灯６２に流れる負荷電流を検出し、この検出出力を制御部７７に出力する。
【０１０３】
電界効果トランジスタ７９は、制御部７７での抵抗８１より検出される負荷電流に応じた検出出力と予め設定された基準信号ＶFとの比較結果に基づいてオンオフ動作されＬＤＥ照明灯６２に流れる電流を制御する。第２のインダクタ８２は、電界効果トランジスタ７９のオンオフ動作に伴う電磁的エネルギーの蓄積及び放出によりコンデンサ８３両端に降圧された直流出力を発生させる。
【０１０４】
コンデンサ８３の両端には、上述したメスコネクタ６７が接続されている。メスコネクタ６７は、接続端子６７ａ、６７ｂを有するもので、ＬＥＤ照明灯６２が不図示の器具に装着されたときに、ＬＥＤ照明灯６２のオスコネクタ６３の接続端子６３ａ、６３ｂが各別に接続される。
【０１０５】
制御部７７は、電源装置全体を制御するもので、電源出力制御部７７１と定電流制御部７７２を有している。電源出力制御部７７１は、不図示の参照電圧が記憶されていて、参照電圧と抵抗７６の端子電圧との比較結果に基づいて電界効果トランジスタ７２のオンオフ動作を制御し、この電界効果トランジスタ７２のオンオフ動作に伴う第１のインダクタ７１での電磁的エネルギーの蓄積及び放出により電解コンデンサ７４両端に昇圧された出力電圧を発生させる。定電流制御部７７２は、予め設定された基準信号ＶFが用意され、抵抗素子８１より検出される負荷電流との比較結果により電界効果トランジスタ７９のスイッチング駆動を制御し、ＬＤＥ照明灯６４に流れる電流を定電流に制御する。
【０１０６】
このような構成において、ＬＤＥ照明灯６４が器具に装着され、オスコネクタ６３を介して電源装置８４のメスコネクタ６７に接続されているものとする。
【０１０７】
この状態で、不図示の電源スイッチが投入されると、交流電源６８の交流電力が全波整流回路６９で全波整流され、昇圧チョッパ回路７０に供給される。昇圧チョッパ回路７０では、電界効果トランジスタ７２が抵抗７６の端子電圧と、電源出力制御部７７１に予め用意された参照電圧との比較結果に基づいてオンオフ動作し、この電界効果トランジスタ７２のオンオフ動作に伴う第１のインダクタ７１の電磁的エネルギーの蓄積及び放出によりフライホイールダイオード７３を介して電解コンデンサ７４に昇圧された出力電圧を発生する。
【０１０８】
昇圧チョッパ回路７０の出力電圧は、降圧チョッパ回路７８に供給される。
【０１０９】
降圧チョッパ回路７８では、定電流制御部７７２の出力により電界効果トランジスタ７９がオンオフされ、第２のインダクタ８２の電磁的エネルギーの蓄積及び放出によりフライホイールダイオード８０を介してコンデンサ８３に降圧された出力電圧が発生する。すると、照明灯脱検出部６６は、オスコネクタ６３の接続端子６３ａ、６３ｂ間に発生する電圧を検出して動作し、スイッチング素子６５をオン動作させる。これにより、ＬＥＤ素子６４の点灯電路が形成され、ＬＤＥ照明灯６４が点灯される。
【０１１０】
この状態から、ＬＤＥ照明灯６４を器具から取り外すと、ＬＥＤ照明灯６２のオスコネクタ６３が電源装置８４のメスコネクタ６７より切り離される。すると、オスコネクタ６３の接続端子６３ａ、６３ｂ間の電圧が無くなるので、照明灯脱検出部６６はスイッチング素子６５をオフ動作させてＬＥＤ素子６４の点灯電路を遮断する。
【０１１１】
したがって、このようにすれば、ＬＤＥ照明灯６４に点灯電路遮断手段を構成する照明灯脱検出部６６を設け、器具へのＬＤＥ照明灯６４の装着によりＬＥＤ照明灯６２のオスコネクタ６３が電源装置８４のメスコネクタ６７に接続されると、照明灯脱検出部６６によりスイッチング素子６５をオンしてＬＥＤ素子６４の点灯電路を形成し、また、器具からＬＤＥ照明灯６４を取り外しによりＬＥＤ照明灯６２のオスコネクタ６３が電源装置８４のメスコネクタ６７から切り離されると、照明灯脱検出部６６によりスイッチング素子６５をオフしてＬＥＤ素子６４の点灯電路を遮断するようにしたので、ＬＥＤ素子６４が点灯している状態から、ＬＥＤ照明灯６２を器具から取り外しする際に、作業者がオスコネクタ６３の接続端子６３ａ、６３ｂに触れることがあっても、既に点灯電路が遮断されていることで、このときの安全性を確実に確保することができる。
【０１１２】
（第５の実施の形態）
図９は、本発明の第５の実施の形態にかかるＬＥＤ照明灯の概略構成を示すもので、図８と同一部分には同符号を付している。
【０１１３】
この場合、ＬＥＤ照明灯６２のオスコネクタ６３の接続端子６３ａ、６３ｂ間には、ＬＥＤ素子６４とスイッチング手段として半導体素子の電界効果トランジスタ８５の直列回路と、照明灯脱検出部６６がそれぞれ接続されている。照明灯脱検出部６６は、ＬＥＤ照明灯６２のオスコネクタ６３が電源装置８４のメスコネクタ６７に接続されている場合、オスコネクタ６３の接続端子６３ａ、６３ｂ間に発生する電圧を検出すると電界効果トランジスタ８５のゲートに駆動信号を与え電界効果トランジスタ８５をオン動作させてＬＥＤ素子６４の点灯電路を形成し、また、ＬＥＤ照明灯６２のオスコネクタ６３が電源装置８４のメスコネクタ６７より切り離され、オスコネクタ６３の接続端子６３ａ、６３ｂ間の電圧が無くなると、電界効果トランジスタ８５のゲートへの駆動信号を停止して電界効果トランジスタ８５をオフ動作させてＬＥＤ素子６４の点灯電路を遮断する。
【０１１４】
このようにしても、第５の実施の形態と同様な効果を得られ、さらに、点灯電路を遮断するスイッチング手段として電界効果トランジスタ８５が用いられるので、ＬＥＤ照明灯８４が器具から取り外され、オスコネクタ５８が出力発生回路２１側のメスコネクタ５７から切り離された際の点灯電路の遮断を高速で行うことができ、さらなる安全性を得られる。
【０１１５】
（第６の実施の形態）
図１０は、本発明の第６の実施の形態にかかるＬＥＤ照明灯の概略構成を示すもので、図８と同一部分には同符号を付している。
【０１１６】
この場合、ＬＥＤ照明灯６２のオスコネクタ６３の接続端子６３ａ、６３ｂ間には、ＬＥＤ素子６４とスイッチング素子として継電器８６の直列回路と、照明灯脱検出部６６がそれぞれ接続されている。継電器８６は、励磁コイル８６１と、励磁コイル８６１の付勢によりオン動作される接点８６２を有している。また、照明灯脱検出部６６は、ＬＥＤ照明灯６２のオスコネクタ６３が電源装置８４のメスコネクタ６７に接続されている場合、オスコネクタ６３の接続端子６３ａ、６３ｂ間に発生する電圧を検出すると継電器８６の励磁コイル８６１に付勢信号を与え接点８６２をオン動作させてＬＥＤ素子６４の点灯電路を形成し、また、ＬＥＤ照明灯６２のオスコネクタ６３が電源装置８４のメスコネクタ６７より切り離され、オスコネクタ６３の接続端子６３ａ、６３ｂ間の電圧が無くなると、励磁コイル８６１への付勢信号を停止して接点８６２をオフ動作させてＬＥＤ素子６４の点灯電路を遮断する。
【０１１７】
このようにしても、第５の実施の形態と同様な効果を得られる。
【０１１８】
なお、上述した第４乃至第６の実施の形態のＬＥＤ照明灯では、出力発生手段として直流出力を発生する電源装置８４を接続するようにしたが、出力発生手段としてインバータのような高周波を出力する高周波電源や商用電源を用い、これら電源に、接続手段を介して接続される高周波電源又は商用電源直結形のＬＥＤ照明灯とすることもできる。この場合は、ＬＥＤ照明灯側に、交流出力を直流出力に変換するための交流／直流変換回路要素を備えることで実現可能となる。
【０１１９】
（第７の実施の形態）
図１１は、本発明の第７の実施の形態にかかるＬＥＤ照明灯の概略構成を示すものである。
【０１２０】
図１１において、８７は不図示の商用電源からなる交流電源で、この交流電源８７は、接続手段としてメスコネクタ８８の接続端子８８ａ、８８ｂに接続されている。一方、８９は、ＬＥＤ照明灯で、このＬＥＤ照明灯８９は、接続手段としてオスコネクタ９０を一体に有している。このオスコネクタ９０は、接続端子９０ａ、９０ｂを有し、ＬＥＤ照明灯８９の不図示の器具への着脱により交流電源８７のメスコネクタ８８の接続端子８８ａ、８８ｂに接続又は切り離し可能にしている。
【０１２１】
ＬＥＤ照明灯８９は、オスコネクタ９０の接続端子９０ａ、９０ｂの間には、全波整流回路９１の入力端子が接続されている。全波整流回路９１は、交流電源８７からの交流電力を全波整流した出力を発生する。全波整流回路９１の正負極の出力端子間に平滑コンデンサ９２が接続されている。平滑コンデンサ９２は、全波整流回路９１の出力を平滑して直流電圧を生成する。
【０１２２】
平滑コンデンサ９２には、絶縁トランス９３が接続されている。絶縁トランス９３は、１次巻線９３ａと、この１次巻線９３ａに対して絶縁された２次巻線９３bを有するもので、１次巻線９３ａをスイッチング素子としてのＮＰＮ形トランジスタ９４を介して平滑コンデンサ９２の両端に接続されている。この場合、ＮＰＮ形トランジスタ９４は、コレクタを１次巻線９３ａに接続され、エミッタを全波整流回路９１の負極の出力端子に接続されている。
【０１２３】
絶縁トランス９３の２次巻線９３bの間には、整流手段として図示極性のダイオード９５とコンデンサ９６の直列回路が接続されている。ダイオード９５は、２次巻線９３ｂの出力を整流し、コンデンサ９６は、ダイオード９５からの脈流出力を平滑して直流電圧を生成する。コンデンサ９６には、半導体発光素子として１個又は複数個直列接続されたＬＥＤ素子９７が接続されている。
【０１２４】
一方、ダイオード９５とコンデンサ９６の接続点には、絶縁手段であるフォトカプラ９９を介して制御回路９８が接続されている。制御回路９８は、２次巻線９３bよりダイオード９５を介して出力される脈流出力に同期してＮＰＮ形トランジスタ９４のベースに駆動信号を与え、ＮＰＮ形トランジスタ９４をオンオフさせる。
【０１２５】
このような構成において、ＬＤＥ照明灯８９が器具に装着され、オスコネクタ９０を介して交流電源８７のメスコネクタ８８に接続されているものとする。
【０１２６】
この状態で、不図示の電源スイッチが投入されると、交流電源８７の交流電力が全波整流回路９１で全波整流され、平滑コンデンサ９２に平滑された直流電圧が発生する。
【０１２７】
この状態で、制御回路９８によりＮＰＮ形トランジスタ９４のスイッチングが開始される。まず、ＮＰＮ形トランジスタ９４がオンすると絶縁トランス９３の１次巻線９３ａ、ＮＰＮ形トランジスタ９４を通って電流が流れ、また、ＮＰＮ形トランジスタ９４がオフになると、２次巻線９３ｂには、１次巻線９３ａ側に流れていた電流により蓄積されたエネルギーに基づく逆起電力が発生し、フライバック電流がダイオード９５、コンデンサ９６を通って流れる。以下、同様にして制御回路９８によりＮＰＮ形トランジスタ９４をオンオフさせることにより、２次巻線９３ｂにはフライバック電流が流れつづけ、この電流がダイオード９５及びコンデンサ９６で整流平滑され、コンデンサ９６に直流電圧が発生し、ＬＥＤ素子９７が点灯される。
【０１２８】
この状態から、ＬＤＥ照明灯８９を器具から取り外すと、ＬＥＤ照明灯８９のオスコネクタ９０が交流電源８７のメスコネクタ８８より切り離される。この場合、電源側からの出力を絶縁トランス９３を介してＬＥＤ素子９７に供給し、電源側に対してＬＥＤ素子９７を絶縁した状態になっているので、ＬＥＤ素子９７側での電源の影響を皆無にできる。これにより、ＬＥＤ素子９７が点灯している状態で、ＬＥＤ照明灯８９を器具から取り外しする際に、作業者がＬＥＤ素子９７の点灯電路に触れることがあっても、このときの安全性を確実に確保することができる。
【０１２９】
なお、本発明は、上記実施の形態に限定されるものでなく、実施段階では、その要旨を変更しない範囲で種々変形することが可能である。例えば、上述した実施の形態では、光源が放電ランプかＬＥＤ照明灯かの判定を自動的に行うようにしたが、手動による切換えスイッチを用いることもできる。この場合、切換えスイッチは、図１で述べた器具本体１に設けられ、器具本体１に装着される放電ランプ又はＬＥＤ照明灯により対応する位置に手動で切換えられる。また、上述した実施の形態では、光源として放電ランプ３０又はＬＥＤ照明灯３２を点灯可能にした常用点灯用の電源装置の例を述べたが、例えば、非常点灯用の電源装置としても適用できる。この場合、電源装置内に蓄電池を内蔵しておき、商用電源の交流電源１０が停電した場合に、電源を交流電源１０から蓄電池に切換え、この蓄電池を電源として電源装置を駆動し、放電ランプ３０又はＬＥＤ照明灯３２を点灯するようにする。さらに、上述した実施の形態では、電源装置のメスコネクタより放電ランプ３０（又はＬＥＤ照明灯３２）が切り離されるとインターロックスイッチがオフ動作され電源を遮断するようにしたが、電源装置側のメスコネクタより放電ランプ３０（又はＬＥＤ照明灯３２）が切り離されるとインターロックスイッチをオン動作させて電源を遮断するようにしてもよい。さらにまた、上述の実施の形態では、器具本体から放電ランプ又はＬＥＤ照明灯が取り外しされるとインターロックスイッチを動作して電源を強制的に遮断する例を述べたが、例えば、器具本体から放電ランプ又はＬＥＤ照明灯が取り外されると、この状態を検出し、例えば、０．１秒以内に出力発生回路２１の出力を強制停止させたり、或いは、電源装置の出力発生回路側を絶縁式にして、放電ランプ又はＬＥＤ照明灯の取り外しの際の安全性を確保するようにしたものなども考えられる。さらに上述した実施の形態では、電源装置として交流出力及び直流出力を発生するものについて述べたが、交流出力又は直流出力を発生する電源装置にも適用することができる。
【０１３０】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【符号の説明】
【０１３１】
１…器具本体、２．３…放電ランプ
４…セード、１００…電源装置、１０…交流電源、
１１…全波整流回路、１３…昇圧チョッパ回路
２０…制御回路、２０１…昇圧チョッパ回路制御部、
２０２…光源判定部、２０３…出力発生回路制御部、
２０４…調光制御部、２０５…遅延制御部、
２０６…通電時間カウンタ、２１…出力発生回路、
２８…メスコネクタ、３１、３３…オスコネクタ
３０…放電ランプ、３２…ＬＥＤ照明灯
３８…電流検出回路、４０…調光信号発生部、４１…電力検出回路、
５１，６１…インターロックスイッチ
５６…絶縁トランス、６２、８９…ＬＥＤ照明灯、
６５…スイッチング素子、６６…照明灯脱検出部、
【図１】
2011054551.tif 000003
【図２】
2011054551.tif 000004
【図３】
2011054551.tif 000005
【図４】
2011054551.tif 000006
【図５】
2011054551.tif 000007
【図６】
2011054551.tif 000008
【図７】
2011054551.tif 000009
【図８】
2011054551.tif 000010
【図９】
2011054551.tif 000011
【図１０】
2011054551.tif 000012
【図１１】
2011054551.tif 000013